(57)【特許請求の範囲】
【請求項１】
正の屈折力を有する第１レンズ群、負の屈折力を有する第２レンズ群、正の屈折力を有する第３レンズ群、正の屈折力を有する第４レンズ群、および正の屈折力を有する第５レンズ群を物体側からこの順に配設してなり、
ズーミング時に前記第１レンズ群、前記第３レンズ群、および前記第５レンズ群は固定とされ、前記第２レンズ群、および前記第４レンズ群は可動とされ、
前記第２レンズ群を光軸方向に移動することにより全系の焦点距離を変化させ、前記第４レンズ群を光軸方向に移動することにより結像位置の変動を補正するとともに物体距離の変化に伴う結像位置の変化を補正するズームレンズであって、下記条件式（１）〜（４）を満足するように構成されてなることを特徴とする高倍率ズームレンズ。
−０.５＜ｆ２／(ｆｗ・ｆｔ)1/2＜−０.２    （１）
１.１＜ｆ３／(ｆｗ・ｆｔ)1/2＜１.４        （２）
０.４＜ｆ３／ｆ１＜０.７      （３）
６.０＜ｆ５／ｆ３＜７.０      （４）
ただし、  ｆ２：第２レンズ群の焦点距離
ｆｗ：広角端における全系の焦点距離
ｆｔ：望遠端における全系の焦点距離
ｆ３：第３レンズ群の焦点距離
ｆ１：第１レンズ群の焦点距離
ｆ５：第５レンズ群の焦点距離
【請求項２】
前記第３レンズ群を構成するレンズのレンズ面のうち、少なくとも１面が非球面により形成されてなることを特徴とする請求項１記載の高倍率ズームレンズ。
【請求項３】
前記第５レンズ群が正および負の屈折力を有する２枚のレンズからなることを特徴とする請求項１または２記載の高倍率ズームレンズ。
【請求項４】
前記第５レンズ群の正の屈折力を有するレンズのアッベ数が下記条件式（５）を満足し、かつ前記第５レンズ群の負の屈折力を有するレンズのアッベ数が下記条件式（６）を満足するように構成されてなることを特徴とする請求項３記載の高倍率ズームレンズ。
ν＋＞５７      （５）
ν−＜２６      （６）
ただし、  ν＋：第５レンズ群の正の屈折力を有するレンズのアッベ数
ν−：第５レンズ群の負の屈折力を有するレンズのアッベ数
【発明の詳細な説明】
【０００１】
【発明の属する技術分野】
本発明はズームレンズ、特にホームビデオカメラや電子スティルカメラに用いられる広角で変倍比が１８〜２０倍と大きいズームレンズに関する。
【０００２】
【従来の技術】
ビデオカメラ用のズームレンズは撮像サイズが１／３インチから１／４インチに移行しつつあり、レンズ構成の簡素化が求められている。このようなズームレンズとしては、例えば全系を４群で構成し、第１レンズ群および第３レンズ群を固定とし、第２レンズ群を光軸方向に移動することにより変倍を行い、それに伴う像点位置の移動を第４レンズ群により行い、Ｆナンバーが１．６〜１．８、ズーム比が８倍〜１２倍なる条件を満足するようにしたものが知られている。
【０００３】
【発明が解決しようとする課題】
しかしながら、上述した従来技術では第４レンズ群が広角側から望遠側にかけて物体側に凸の曲線を描くように、かつ中間域では第３レンズ群に近づくように移動し、この中間域において像の周辺部に向かう光束が第４レンズ群の比較的低い位置から射出されるために収差の状態が広角側や望遠側と異なってしまい全体として収差の変動をズーム全領域で小さくすることが困難となる。
特に広角側の焦点距離をより小さくする場合、第４レンズ群の屈折力を大きくすることが必要となるが、これは第４レンズ群の移動距離が小さくなりレンズ全体が小型化するという利点がある反面、屈折力が大きい分、移動することによる収差の変動が大きくなり、ズーム全領域での収差補正がより困難となる。
【０００４】
さらに、近年ズーム比をより大きいものとしたいという要求が強く、例えばこのズーム比を２０倍程度以上まで大きくしたいという要求がある。しかしながら、この程度までズーム比を大きくすると、第２レンズ群の移動量が大きくなるのに合わせて第４レンズ群の移動量も大きくする必要があり、それに伴う収差の変動も大きくなるのでズーム全領域での補正がさらに困難となる。
このため前述した構成のものでは、画角を５８゜程度、ズーム比を１２倍程度とするのが限界であった。
【０００５】
またこれまでの種々の従来技術では、ズームレンズを構成するレンズ枚数が上記の諸条件を満足するための限界に近い数となっているため、このままの性能を維持しつつ高ズーム比化するのは困難であった。
本発明は、従来技術に比べ、より広角でよりズーム比の大きい、諸収差が良好なズームレンズを提供することを目的とするものである。
【０００６】
【課題を解決するための手段】
本発明の高倍率ズームレンズは、正の屈折力を有する第１レンズ群、負の屈折力を有する第２レンズ群、正の屈折力を有する第３レンズ群、正の屈折力を有する第４レンズ群、および正の屈折力を有する第５レンズ群を物体側からこの順に配設してなり、
ズーミング時に前記第１レンズ群、前記第３レンズ群、および前記第５レンズ群は固定とされ、前記第２レンズ群、および前記第４レンズ群は可動とされ、  前記第２レンズ群を光軸方向に移動することにより全系の焦点距離を変化させ、前記第４レンズ群を光軸方向に移動することにより結像位置の変動を補正するとともに物体距離の変化に伴う結像位置の変化を補正するズームレンズであって、下記条件式（１）〜（４）を満足するように構成されてなることを特徴とするものである。
【０００７】
−０.５＜ｆ２／(ｆｗ・ｆｔ)1/2＜−０.２    （１）
１.１＜ｆ３／(ｆｗ・ｆｔ)1/2＜１.４        （２）
０.４＜ｆ３／ｆ１＜０.７      （３）
６.０＜ｆ５／ｆ３＜７.０      （４）
ただし、  ｆ２：第２レンズ群の焦点距離
ｆｗ：広角端における全系の焦点距離
ｆｔ：望遠端における全系の焦点距離
ｆ３：第３レンズ群の焦点距離
ｆ１：第１レンズ群の焦点距離
ｆ５：第５レンズ群の焦点距離
【０００８】
また、前記第３レンズ群を構成するレンズのレンズ面のうち、少なくとも１面を非球面により形成することが望ましい。
さらに、前記第５レンズ群を正負２枚のレンズから構成することが望ましい。
また、前記第５レンズ群の正の屈折力を有するレンズのアッベ数が下記条件式（５）を満足し、かつ前記第５レンズ群の負の屈折力を有するレンズのアッベ数が下記条件式（６）を満足するように構成されてなることが望ましい。
ν＋＞５７      （５）
ν−＜２６      （６）
ただし、  ν＋：第５レンズ群の正の屈折力を有するレンズのアッベ数
ν−：第５レンズ群の負の屈折力を有するレンズのアッベ数
【０００９】
【作用】
本発明の高倍率ズームレンズでは上記の構成とすることにより従来の問題を解決しており、変倍時に固定とした正の屈折力を有するレンズ群を第５レンズ群とすることにより、第４レンズ群の屈折力を大きくすることなく広角化を達成し、かつ変倍による収差変動を極力抑えるようにしており、これによって、より広角で、よりズーム比の大きいズームレンズの実現を可能としている。
より広角となるような焦点距離を有し、かつズーム全領域で良好な収差補正がおこなわれるためには射出光線が光軸から離れた位置にあるとき程レンズ面で補正される必要がある。このためレンズ系の最も像側に、変倍時に固定とされている第５レンズ群を置くようにしている。
【００１０】
次に第２レンズ群、および第３レンズ群と第１レンズ群の屈折力を規定する条件式について説明する。
条件式（１）は広角端での画角を大きくするために第２レンズ群が持つ屈折力の範囲を規定するもので、変倍領域全体にわたって良好な収差補正を行い、かつ高変倍比を維持しつつ広角化を実現するために必要な範囲を示すものである。条件式（１）の上限を超えるとより変倍比を大きくすることができる反面、像面が補正過剰となり、球面収差とのバランスをとることが困難となる。さらに第２レンズ群の移動量が大きくなり全体を小型化することができない。また条件式（１）の下限を超えると収差のバランスは良好となるが、高変倍比を維持したままの広角化は実現できない。
【００１１】
条件式（２）は変倍比を大きくするために第３レンズ群焦点距離の範囲を規定するものである。条件式（２）の上限を超えると第３レンズ群の屈折力が足りず、その分を第１レンズ群で補おうとすると、より広角にすることは難しくなり、また第４レンズ群、第５レンズ群で補おうとすると、必要なバックフォーカスを得ることが困難となる。結局、広角のまま変倍比を大きくすることは困難となる。条件式（２）の下限を超えるとより高変倍比になる反面、広角端で像面が物体側に倒れ、良好な性能が得られない。
条件式（３）は条件式（２）と同様に変倍比を大きくするために第３レンズ群と第１レンズ群の焦点距離の比の範囲を規定するものである。条件式（３）の上限を超えると変倍比をより大きくすることができる全領域にわたって収差を良好に補正することが困難になる。条件式（３）の下限を超えると高変倍比にすることができなくなる。
【００１２】
条件式（４）はズーム全領域にわたって良好な性能を維持しつつ変倍比を大きくするために第５レンズ群と第３レンズ群の焦点距離の比の範囲を規定するものである。条件式（４）の上限を超えると球面収差が補正過剰となり、像面がアンダーに倒れ良好な性能が得られない。条件式（４）の下限を超えると逆の補正となり同様に良好な性能が得られない。結局広角でかつ高変倍比を維持しつつ良好な性能を保つためには第３レンズ群と第５レンズ群の焦点距離の比は条件式（４）の範囲になければならない。
また、第３レンズ群のレンズ面のうち少なくとも１面を非球面とすることで、レンズ系全体のレンズ枚数を少なくし、かつ良好な収差補正、とくに球面収差の補正を良好とすることができる。すなわち、第３レンズ群のレンズ面の全てを球面で構成すると、収差補正を良好とするためにはレンズ枚数を増やす必要があり、これはレンズ系の全長が大きくなることにつながり好ましくない。
さらに、第５レンズ群を正、負２枚のレンズで構成することで全領域の倍率色収差の補正を容易なものとすることができる。
【００１３】
【発明の実施の形態】
以下、本発明の実施例の高倍率ズームレンズについて、図面を参照しながら説明する。
図２は、本発明の高倍率ズームレンズの第１〜第３の実施例の構成を代表して示す広角端におけるレンズ構成図であり、図１は広角端、望遠端における各レンズ群の位置関係を示す図である。
【００１４】
図示のズームレンズは、物体側より順に全体として正の屈折力を有する第１レンズ群Ｇ１と、負の屈折力を有する第２レンズ群Ｇ２と、絞り３と、正の屈折力を有する第３レンズ群Ｇ３と、正の屈折力を有する第４レンズ群Ｇ４と、正の屈折力を有する第５レンズ群Ｇ５とからなり、ズーミング時に第１レンズ群Ｇ１，第３レンズ群Ｇ３および第５レンズ群Ｇ５は固定とされ、第２レンズ群Ｇ２および第４レンズ群Ｇ４は可動とされ、第２レンズ群Ｇ２を光軸Ｘに沿って移動することにより全系の焦点距離ｆを変化させ、第４レンズ群Ｇ４を光軸Ｘに沿って移動することにより第２レンズ群Ｇ２の移動に伴う結像位置の変動を補正するとともにフォーカシングを行うようにしたズームレンズであって、以下の条件式（１），（２），（３），（４）を満足する構成とされている。
【００１５】
−０．５＜ｆ２／（ｆｗ・ｆｔ）１／２＜−０．２    （１）
１．１＜ｆ３／（ｆｗ・ｆｔ）１／２＜１．４        （２）
０．４＜ｆ３／ｆ１＜０．７      （３）
６．０＜ｆ５／ｆ３＜７．０      （４）
ただし、  ｆ２：第２レンズ群の焦点距離
ｆｗ：広角端における全系の焦点距離
ｆｔ：望遠端における全系の焦点距離
ｆ３：第３レンズ群の焦点距離
ｆ１：第１レンズ群の焦点距離
ｆ５：第５レンズ群の焦点距離
【００１６】
さらに詳しくは、第１レンズ群Ｇ１はレンズＬ１〜Ｌ３から、第２レンズ群Ｇ２はレンズＬ４〜Ｌ６から、第３レンズ群Ｇ３はレンズ前面（物体側の面）が非球面状に形成されたレンズＬ７、およびレンズＬ８から、第４レンズ群Ｇ４は単一のレンズＬ９から、第５レンズ群Ｇ５はレンズＬ１０およびＬ１１から構成されている。また第５レンズ群Ｇ５と結像面１の間には、赤外光をカットするフィルタやローパスフィルタ２が配されている。
【００１７】
なお、ズームレンズをより広角にするためには各群の屈折力を適切な値にすることが必要となる。特に広角な焦点距離を持ち、かつズーム全領域で良好な収差補正が行われるためには射出光線がより光軸から離れた位置にあるときにレンズ面で補正される必要がある。このため本実施例の高倍率ズームレンズでは、レンズ系の最も像側に、変倍時に位置が固定の第５レンズ群Ｇ５を置くようにしている。さらに、この第５レンズ群Ｇ５は倍率色収差の補正にも有効なように、符号が互いに反対の屈折力を有し、分散に差がある材料からなる２枚のレンズＬ１０、  Ｌ１１で構成している。そして、それぞれのアッベ数は以下の範囲を満足している。
ν＋＞５７                                  （５）
ν−＜２６                                （６）
ここでν＋  は第５レンズ群Ｇ５の正の屈折力を有するレンズＬ１１のアッベ数、ν−は第５レンズ群Ｇ５の負の屈折力を有するレンズＬ１０のアッベ数である。
【００１８】
以下、各実施例について詳述する。
まず、第１の実施例にかかるズームレンズの各レンズ面の曲率半径Ｒ（ｍｍ）、各レンズの中心厚および各レンズ間の空気間隔（以下、これらを総称して軸上面間隔という）Ｄ（ｍｍ）、各レンズのｄ線における屈折率Ｎおよびアッベ数νの値を表１に示す。
なお表中の数字は物体側からの順番を表すものである。また曲率半径Ｒの欄において「非球面」とあるのは、下記式（Ａ）により算出される非球面形状であることを意味するものである（以下に示す表３，５についても同じ）。
【００１９】
Ｚ＝ＣＹ２／｛１＋（１−ＫＣ２Ｙ２）１／２｝
＋Ａ２Ｙ４＋Ａ３Ｙ６＋Ａ４Ｙ８＋Ａ５Ｙ１０                                    （Ａ）
ただし、Ｚ：光軸からの高さＹの非球面上の点より、非球面頂点の接平面（光軸に垂直な平面）に下ろした垂線の長さ（ｍｍ）
Ｃ：非球面の近軸曲率
Ｙ：光軸からの高さ（ｍｍ）
Ｋ：離心率
Ａ２〜Ａ５：第４，６，８，１０次の非球面係数
【００２０】
また、表２に表１中の軸上面間隔Ｄの欄におけるＧＤ１，ＧＤ２，ＧＤ３，ＧＤ４の広角端および望遠端各位置での値を示す。さらに、この表２の下段に、全系の焦点距離ｆ、Ｆナンバー（ＦＮＯ）、画角２ω、上式（Ａ）に示される非球面の各定数Ｃ，Ｋ，Ａ２〜Ａ５の値を示す。
【００２１】
【表１】
0003601733.tif 000002
【００２２】
【表２】
0003601733.tif 000003
【００２３】
図３および図４は上記第１の実施例のズームレンズの広角端および望遠端における諸収差を示す収差図である。この図３および図４から明らかなように、第１の実施例のズームレンズによればズーム領域の全体に亘って良好な収差補正がなされ、広角化（２ω＝７０．６１度）、高ズーム比（１８倍）を得ることができる。
次に、第２の実施例に係るズームレンズの各レンズ面の曲率半径Ｒ（ｍｍ）、軸上面間隔Ｄ（ｍｍ）、各レンズのｄ線における屈折率Ｎおよびアッベ数νの値を表３に示す。
【００２４】
また、表４に表３中の軸上面間隔Ｄの欄におけるＧＤ１，ＧＤ２，ＧＤ３，ＧＤ４の広角端および望遠端各位置での値を示す。さらに、この表４の下段に、全系の焦点距離ｆ、Ｆナンバー（ＦＮＯ）、画角２ω、上式（Ａ）に示される非球面の各定数Ｃ，Ｋ，Ａ２〜Ａ５の値を示す。
【００２５】
【表３】
0003601733.tif 000004
【００２６】
【表４】
0003601733.tif 000005
【００２７】
図５および図６は上記第２の実施例のズームレンズの広角端および望遠端における諸収差を示す収差図である。この図５および図６から明らかなように、第２の実施例のズームレンズによればズーム領域の全体に亘って良好な収差補正がなされ、広角化（２ω＝７１．１１度）、高ズーム比（１９倍）を得ることができる。
次に、第３の実施例に係るズームレンズの各レンズ面の曲率半径Ｒ（ｍｍ）、軸上面間隔Ｄ（ｍｍ）、各レンズのｄ線における屈折率Ｎおよびアッベ数νの値を表５に示す。
また、表６に表５中の軸上面間隔Ｄの欄におけるＧＤ１，ＧＤ２，ＧＤ３，ＧＤ４の広角端および望遠端各位置での値を示す。さらに、この表６の下段に、全系の焦点距離ｆ、Ｆナンバー（ＦＮＯ）、画角２ω、上式（Ａ）に示される非球面の各定数Ｃ，Ｋ，Ａ２〜Ａ５の値を示す。
【００２８】
【表５】
0003601733.tif 000006
【００２９】
【表６】
0003601733.tif 000007
【００３０】
図７および図８は上記第３の実施例のズームレンズの広角端および望遠端における諸収差を示す収差図である。この図７および図８から明らかなように、第３の実施例のズームレンズによればズーム領域の全体に亘って良好な収差補正がなされ、広角化（２ω＝７１．１５度）、高ズーム比（２０倍）を得ることができる。
また、上記各実施例における、前述した条件式（１）におけるｆ２／（ｆｗ・ｆｔ）１／２の値、前述した条件式（２）におけるｆ３／（ｆｗ・ｆｔ）１／２  の値、前述した条件式（３）におけるｆ３／ｆ１  および条件式（４）におけるｆ５／ｆ３の値を下記表７に示す。
【００３１】
【表７】
0003601733.tif 000008
【００３２】
この表７から明らかなように、各実施例のズームレンズはいずれも前述した各条件式（１）、（２）、（３）、（４）を満足している。
また、上記各実施例の所定レンズのアッベ数を示す下記表８から明らかなように、各実施例のズームレンズはいずれも前述した条件式（５）、（６）を満足しており、色収差を良好に補正することができる。
【００３３】
【表８】
0003601733.tif 000009
【００３４】
なお、本発明の高倍率ズームレンズとしては上記実施例のものに限られるものではなく、例えば各レンズ群を構成するレンズの枚数や形状は適宜選択し得る。
【００３５】
【発明の効果】
以上説明した如く、本発明の高倍率ズームレンズによれば各収差を良好なものとしつつ、広角端の画角を７０゜以上、ズーム比を１８〜２０倍程度と広角、高ズーム比のものとすることができる。
【図面の簡単な説明】
【図１】本発明の実施例に係るズームレンズの広角端および望遠端におけるレンズ群の位置関係を示す図
【図２】本発明の実施例に係るズームレンズの広角端におけるレンズ構成を示す図
【図３】第１の実施例に係るズームレンズの広角端における諸収差を示す収差図
【図４】第１の実施例に係るズームレンズの望遠端における諸収差を示す収差図
【図５】第２の実施例に係るズームレンズの広角端における諸収差を示す収差図
【図６】第２の実施例に係るズームレンズの望遠端における諸収差を示す収差図
【図７】第３の実施例に係るズームレンズの広角端における諸収差を示す収差図
【図８】第３の実施例に係るズームレンズの望遠端における諸収差を示す収差図
【符号の説明】
Ｌ      ：  レンズ
Ｒ      ：  曲率半径
Ｄ        ：  軸上面間隔
Ｘ        ：  光軸
１        ：  結像面
２        ：  フィルタ
３        ：  絞り
【図１】
0003601733.tif 000010
【図２】
0003601733.tif 000011
【図３】
0003601733.tif 000012
【図４】
0003601733.tif 000013
【図５】
0003601733.tif 000014
【図６】
0003601733.tif 000015
【図７】
0003601733.tif 000016
【図８】
0003601733.tif 000017